(57)【特許請求の範囲】
【請求項１】
内壁に螺旋状の凹凸部が形成された防水性の可撓電線管(11)を他の器具等に接続するためのコネクターにおいて、
前記可撓電線管(11)が軸方向に一方の開口に挿入されて接続する第１の接続部(27)および他方に他の器具等に接続する第２の接続部(28)が軸方向に同軸的に設けられた筒状の本体(21)と、
この本体(21)の前記第１の接続部(27)の外周に互いに周方向に離間して一対の貫通孔(32)が設けられた差込部(30)と、
この差込部(30)の前記一対の貫通孔(32)に両脚部(25a) が挿脱自在に挿入され、前記両脚部(25a) の一部が第１の接続部(27)の内周面に突出されるバネ性を有するＵ字状の差込ピン(25)と、
前記第１の接続部(27)の前記開口に嵌入される本体嵌入部(34)を備え、この嵌入部(34)の先端にテーパ部(37)が設けられ、前記本体嵌入部(34)の外周に掛合条溝(36)が形成されると共に、後端部外周に可撓電線管ねじ込み部(35)が設けられたブッシング(22)と、
そのブッシング(22)の前記可撓電線管ねじ込み部(35)と前記一方の開口との間に、ねじ込み状態の可撓電線管(11)を介して介装される第１のパッキン(23)と、
前記ブッシング(22)の先端と前記一方の開口との間に介装される第２のパッキン(24)と、を具備し、
前記差込ピン(25)が、前記貫通孔(32)内に差し込まれ、前記ブッシング(22)を前記第１の接続部(27)の前記開口に挿入して、前記ブッシング(22)の掛合条溝(36)に差込ピン(25)が掛け止められるようになされていることを特徴とする防水性可撓電線管用コネクター。
【請求項２】
第１のパッキン(23)が可撓電線管(11)の先端面に接触するリング部(38)と該リング部(38)の外周縁から折り曲がるように延長されて可撓電線管(11)の外周面に接触する筒部(23)からなる請求項１に記載の防水性可撓電線管用コネクター。
【請求項３】
本体(21)の第１の接続部(27)に段差部(29)が設けられ、リング状に形成された第２のパッキン(24)が該段差部(29)の半径方向面とブッシング(22)の先端間に介装される請求項１または請求項１または請求項２に記載の防水性可撓電線管用コネクター。
【発明の詳細な説明】
【０００１】
【発明の属する技術分野】
本発明は防水性の可撓電線管を、硬質な電線管や端子箱のような他の器具等に接続するためのコネクターに関するものである。
【０００２】
【従来の技術】
絶縁電線や電気ケーブルを地中または建物や架構等に取り付けて敷設する際には、電線管でそれらの周囲を保護することが多い。しかし敷設経路に段差部分や振動を受ける部分がある場合には、硬質の電線管の間に可撓電線管を介在させる必要が生じる。また電線管から機器の端子箱への連結部分にも、可撓電線管が多く使用される。
従来から一般に使用されている可撓電線管は、ゴムや軟質プラスチックのような可撓性を有する筒体の周壁に金属線を螺旋状に埋設したものが多く、その周壁は螺旋状の金属線に沿った凹凸を有する蛇腹体になっている。
このような可撓電線管の使用される部分に外部から浸水するおそれがある場合は、防水性の可撓電線管が使用される。そのような可撓電線管は防水性を確実にするため外周にさらに防水層が設けられる。そしてその接続部には防水性のコネクターが使用される。
【０００３】
図５は従来使用されている防水性のコネクターと、それを使用して防水性の可撓電線管を他の器具に接続する状態を示す図である。
コネクターを分解した状態を示す図５（ａ）において，コネクター１は本体２、カラー３、袋ナット４、第１のパッキン５、第２のパッキン６およびナット７から構成されている。本体２は筒体からなり、中間部にレンチのような回転工具を掛合できる鍔部８を有し、その両側に雄ネジを設けた第１の接続部９と第２の接続部１０を有している。そして第１の接続部９に袋ナット４が螺合され、第２の接続部１０にナット７が螺合される。
カラー３は螺旋状の凹凸を有する筒状の内壁部と、その内壁部の端部から折り返されて軸方向に複数のスリットを有する筒状の外壁部からなり、その外壁部の先端部は外側に拡大されている。
図５（ｂ）はコネクター１を使用して可撓電線管１１を端子箱のような他の器具１２に接続する途中の状態で、図５（ｃ）は接続を完了した状態である。
【０００４】
【発明が解決しようとする課題】
しかし上記した従来のコネクター１は、可撓電線管１１を他の器具と着脱するときに袋ナット４による締め付けおよび取り外し操作を必要とするので、手間がかかるという問題があった。
また従来の構造では、その防水性が袋ナット４の締めつけにより左右されるという問題もあった。
そこで本発明は、このような従来の問題を解決する新しい防水性可撓電線管用コネクターを提供することを課題とするものである。
【０００５】
【課題を解決するための手段】
請求項１に記載の本発明は、内壁に螺旋状の凹凸部が形成された防水性の可撓電線管(11)を他の器具等に接続するためのコネクターにおいて、
前記可撓電線管(11)が軸方向に一方の開口に挿入されて接続する第１の接続部(27)および他方に他の器具等に接続する第２の接続部(28)が軸方向に同軸的に設けられた筒状の本体(21)と、
この本体(21)の前記第１の接続部(27)の外周に互いに周方向に離間して一対の貫通孔(32)が設けられた差込部(30)と、
この差込部(30)の前記一対の貫通孔(32)に両脚部(25a) が挿脱自在に挿入され、前記両脚部(25a) の一部が第１の接続部(27)の内周面に突出されるバネ性を有するＵ字状の差込ピン(25)と、
前記第１の接続部(27)の前記開口に嵌入される本体嵌入部(34)を備え、この嵌入部(34)の先端にテーパ部(37)が設けられ、前記本体嵌入部(34)の外周に掛合条溝(36)が形成されると共に、後端部外周に可撓電線管ねじ込み部(35)が設けられたブッシング(22)と、
そのブッシング(22)の前記可撓電線管ねじ込み部(35)と前記一方の開口との間に、ねじ込み状態の可撓電線管(11)を介して介装される第１のパッキン(23)と、
前記ブッシング(22)の先端と前記一方の開口との間に介装される第２のパッキン(24)と、を具備し、
前記差込ピン(25)が、前記貫通孔(32)内に差し込まれ、前記ブッシング(22)を前記第１の接続部(27)の前記開口に挿入して、前記ブッシング(22)の掛合条溝(36)に差込ピン(25)が掛け止められるようになされていることを特徴とする防水性可撓電線管用コネクターである。
【０００６】
請求項２に記載の本発明は、第１のパッキン(23)が可撓電線管(11)の先端面に接触するリング部(38)と該リング部(38)の外周縁から折り曲がるように延長されて可撓電線管(11)の外周面に接触する筒部(23)からなる請求項１に記載の防水性可撓電線管用コネクターである。
【０００７】
請求項３に記載の本発明は、本体(21)の第１の接続部(27)に段差部(29)が設けられ、リング状に形成された第２のパッキン(24)が該段差部(29)の半径方向面とブッシング(22)の先端間に介装される請求項１または請求項２に記載の防水性可撓電線管用コネクターである。
【０００８】
【発明の実施の形態】
次に、図面により本発明の実施の形態を説明する。
図１は本発明のコネクターを分解した状態の斜視図、図２は図１のコネクターに防水性の可撓電線管を接続した状態を示す正面断面図、図３は図２のＡ−Ａ断面図、さらに図４は図２を下面側から見た底面図である。
これらの図においてコネクター２０は、本体２１、ブッシング２２、第１のパッキン２３、第２のパッキン２４および差込ピン２５を備えている。なお１１は、内壁に螺旋状の凹凸部が形成された防水性の可撓電線管である。
そして、筒状に形成された本体２１は、その中央部にレンチ等の締めつけ工具を掛合する鍔部２６が設けられ、その片側に第１の接続部２７、反対側に雄ねじまたは雌ねじを形成した第２の接続部２８が設けられている。そして第１の接続部２７にはブッシング２２が嵌入して両者間が接続され、第２の接続部２８は図示しないナット等を使用して他の器具等に螺合により接続される。
【０００９】
ねじ部を設けない第１の接続部２７は、その内径を第２の接続部２８の内径より大きくすることによって段差部２９（図２参照）を形成している。そして第１の接続部２７の外周部に沿って円弧溝３１が形成され、さらにその円弧溝３１の両端部に周壁を貫通する一対の貫通孔３２（図３参照）が設けられ、これら円弧溝３１と一対の貫通孔３２により差込部３０が構成される。
なお図３に示すように、貫通孔３２は周壁の外側と内側が偏って形成され、それによって差し込まれた差込ピン２５を安定に保持するようにされている。またその貫通孔３２の先端は、第１の接続部２７の反対側まで貫通している（図４参照）。
さらに円弧溝３１のほぼ中央部にそれと交差する縦溝３３が設けられ、この縦溝３３を利用して指先または引っ掛け具により差込ピン２５を容易に引き抜けるようになっている。
【００１０】
筒状に形成されたブッシング２２は、第１の接続部２７に嵌入される外径を有する本体嵌入部３４と、外周に可撓電線管の内壁にねじ込み可能な螺旋状の凹凸部を設けた可撓電線管ねじ込み部３５を備えている。本体嵌入部３４はその外周に差込ピン２５を掛け止めるための掛合条溝３６が設けられ、その先端にテーパ部３７が形成されている。
差込ピン２５はＵ字型に形成され、両方の脚部２５ａの先端が外側に折り曲げられている。この差込ピン２５をその脚部２５ａが近づくように指で挟んで前記差込部３０に差し込み、次いで指を離すことにより図３のように安定な保持状態になる。
なお以上の本体２１とブッシング２２は、鋳鋼、ステンレスまたは真鍮等の金属材料、差込ピン２５はピアノ線やばね鋼等をそれぞれ加工して作られる。
【００１１】
第１のパッキン２３はゴムやプラスチック等の弾性を有する材料で作られ、図１または図２に示されているように、可撓電線管１１の端面に接触するリング部３８とそのリング部３８の外周縁から折り曲げられて延長し可撓電線管１１の外周面に接触する筒部３９が一体的に形成されている。
第２のパッキン２４も第１のパッキン２３を同様な材料で作られ、筒部４０とその両端に一対の鍔部４１を有し、全体としてリング状に形成されている。この第２のパッキン２４は、前記第１の接続部２７における段差部２９の半径方向面とブッシング２２の先端間に圧縮して介装されるが、本体２１とブッシング２２間の防水作用と共に、その反発力により差込ピン２５をブッシング２２の差込部３０に横方向から押しつけて自然に抜け落ちないように機能する。
なお第２のパッキン２４をこのような形状にすることにより、防水作用と反発作用を高めることができるが、場合によっては一般にシール用として用いられている円板状パッキンを使用してもよい。
【００１２】
上記コネクター２０を使用して防水性の可撓電線管１１を他の器具等に接続するには、次のようにすればよい。
先ず、本体２１の第１の接続部２７に第２のパッキン２４を入れ、接続部２７に設けられた差込部３０に外側から差込ピン２５を予め差し込んでおく。次に、第１のパッキン２３を先端に被嵌した可撓電線管１１をブッシング２２にねじ込む。次いでそのブッシング２２を前記第１の接続部２７に差し込む。すると、ブッシング２２はその先端で差込ピン２５を湾曲させながら進行し、差込ピン２５がそのバネ性でブッシング２２の掛合条溝３６に掛合することにより停止する。この状態でブッシング２２は本体２１から抜けなくなって可撓電線管１１と本体２１が防水性を有して緊密に接続される。
なお本体２１の第２の接続部２８には他の器具等が接続されるが、この部分は従来と同様の構成になっており、上記のようにブッシング２２を本体２１に接続する前、もしくは後のいずれかの時点で他の器具等に接続すればよい。
また、可撓電線管１１を他の器具等から切り離すときには、本体２１の外側から差込ピン２５を引き抜いて、可撓電線管１１と本体２１を軸方向に引き離せばよい。
【００１３】
【発明の効果】
以上のような本発明のコネクターを使用することにより、高い防水性を確保しながら、ワンタッチで防水性可撓電線管を他の電線管や端子箱のような器具に着脱することができる。そのため電気配線の敷設または変更、あるいは保守点検等が極めて容易になる。
【図面の簡単な説明】
【図１】本発明のコネクターを分解した状態の斜視図。
【図２】図１のコネクターに防水性の可撓電線管を接続した状態の正面断面図。
【図３】図２のＡ−Ａ断面図。
【図４】図２を下側から見た底面図。
【図５】従来使用されている防水性のコネクターと、それを使用して防水性の可撓電線管を他の器具に接続する状態を示す図。
【符号の説明】
１  コネクター
２  本体
３  カラー
４  袋ナット
５  第１のパッキン
６  第２のパッキン
７  ナット
８  鍔部
９  第１の接続部
１０  第２の接続部
１１  可撓電線管
１２  他の器具
２０  コネクター
２１  本体
２２  ブッシング
２３  第１のパッキン
２４  第２のパッキン
２５  差込ピン
２５ａ  脚部
２６  鍔部
２７  第１の接続部
２８  第２の接続部
２９  段差部
３０  差込部
３１  円弧溝
３２  貫通孔
３３  縦溝
３４  本体嵌入部
３５  可撓電線管ねじ込み部
３６  掛合条溝
３７  テーパ部
３８  リング部
３９  筒部
４０  筒部
４１  鍔部
【図１】
0003733474.tif 000002
【図２】
0003733474.tif 000003
【図３】
0003733474.tif 000004
【図４】
0003733474.tif 000005
【図５】
0003733474.tif 000006